(57)【要約】【課題】複数のスケールを使用するときであっても使用性を高めることができる化粧用スケールキットを提供する。【解決手段】ケース半体２ａ，２ｂよりなるケース２のケース半体２ａに、光源３と、光源３の光をケース外部に照射するための開口部５ａと、光源３と開口部５ａとの間に配設され施術する化粧料の理想施術形状に対応した遮光部１１Ａが形成されたマスク部材４Ａとを有し、理想施術形状に対応した影を被施術者に投写しうる構成とされた目元スケール１とを設ける。また、一対のケース半体２ａ，２ｂの間に、顔の長さを計測する顔計測スケール４０と、理想眉形状に成形された眉スケール５２と、理想唇形状に成形された唇スケール５３と、唇の色見本が設けられた唇色スケール３０と、肌の色見本が設けられた肌色スケール２０とを引き出し可能に収納する。【選択図】図２
2012090728.tif 000002
【特許請求の範囲】
【請求項１】
一対のケース半体よりなるケースと、
該ケース半体の一方に配設されており、光源と、前記光源の光をケース外部に照射するための開口部と、前記光源と前記開口部との間に配設され施術する化粧料の理想施術形状に対応した透光部又は遮光部が形成されたマスク部材とを有し、前記理想施術形状に対応した光又は影を被施術者に投写しうる構成とされた投写スケールとを設けており、
該一対のケース半体の間に、
顔の長さを計測する顔計測スケールと、理想眉形状に成形された眉スケールと、理想唇形状に成形された唇スケールと、唇の色見本が設けられた唇色スケールと、肌の色見本が設けられた肌色スケールとの群から選ばれる少なくとも一つ以上のスケールを引き出し可能に収納したことを特徴とする化粧用スケールキット。
【請求項２】
前記光源はＬＥＤであることを特徴とする請求項１記載の化粧用スケールキット。
【請求項３】
前記顔計測スケールは、
ラックが形成された一対のスケール半体と該ラックに噛合するギヤとを有し、該一対のスケール半体は前記ギヤにより互いに逆方向に移動する構成としたことを特徴とする請求項１又は２記載の化粧用スケールキット。
【請求項４】
前記眉スケール及び前記唇スケールを、磁石を用いてスケール本体に対し着脱可能な構成としたことを特徴とする請求項１乃至３のいずれか一項に記載の化粧用スケールキット。
【発明の詳細な説明】
【技術分野】
【０００１】
本発明は化粧用スケールキットに係り、特に携帯可能な化粧用スケールキットに関する。
【背景技術】
【０００２】
一般に、美容施術は、肌、眉、唇、目元等のそれぞれに対して実施されるものであり、それぞれ施術方法も異なっている。また、顔の各部位に実施する美容施術の過程において、被施術者の顔にマッチするバランスのとれた美容施術を行うことは難しいとされている。
【０００３】
そのような課題から、美容施術を容易に行いうる器具として、スケールを利用することが行われている。このスケールとしては、肌色見本スケール（特許文献１）、顔チェックスケール（特許文献２）、眉スケール（特許文献３）等、種々のものが提供されている。
【先行技術文献】
【特許文献】
【０００４】
【特許文献１】特開２００５−２９１９７５号公報
【特許文献２】特開２００５−０６６２５５号公報
【特許文献３】特開２００７−２０９５５７号公報
【発明の概要】
【発明が解決しようとする課題】
【０００５】
これらのスケールは、化粧品と共に携帯される場合が多い。しかしながら、従来ではこれらのスケールはそれぞれ独立して別個に提供されていたため、使用者にすると種類の異なる複数のスケールを個別に携帯する必要があり携帯性が悪いという問題点があった。また各スケールが別個の構成であると、スケールの使用時において使用しようとするスケールを直ぐに発見できず、この点からも従来のスケールは使用性が悪いという問題点があった。
【０００６】
本発明は上記の点に鑑みてなされたものであり、複数のスケールを使用するときであっても使用性の向上を図りうる化粧用スケールキットを提供することを目的とする。
【課題を解決するための手段】
【０００７】
上記の課題は、第１の観点からは、
一対のケース半体よりなるケースと、
該ケース半体の一方に配設されており、光源と、前記光源の光をケース外部に照射するための開口部と、前記光源と前記開口部との間に配設され施術する化粧料の理想施術形状に対応した透光部又は遮光部が形成されたマスク部材とを有し、前記理想施術形状に対応した光又は影を被施術者に投写しうる構成とされた投写スケールとを設けており、
該一対のケース半体の間に、
顔の長さを計測する顔計測スケールと、理想眉形状に成形された眉スケールと、理想唇形状に成形された唇スケールと、唇の色見本が設けられた唇色スケールと、肌の色見本が設けられた肌色スケールとの群から選ばれる少なくとも一つ以上のスケールを引き出し可能に収納したことを特徴とする化粧用スケールキットにより解決することができる。
【発明の効果】
【０００８】
開示の化粧用スケールキットによれば、一対のケース半体の間に複数のスケールが配設されるため、携帯時には複数のスケールを一体的に取り扱うことができ、また使用時には所望のスケールを引き出して使用することができるため、スケールの使用性の向上を図ることができる。
【図面の簡単な説明】
【０００９】
【図１】図１は、本発明の一実施形態である化粧用スケールキットを示す側面図である。
【図２】図２は、本発明の一実施形態である化粧用スケールキットを分解した状態を示す側面図である。
【図３】図３は、本発明の一実施形態である化粧用スケールキットを使用している状態を示す図である。
【図４】図４は、本発明の一実施形態である化粧用スケールキットに配設された目元センサの本体部を説明するための斜視図である。
【図５】図５は目元センサの本体部を説明するための図であり、（Ａ）は平面図、（Ｂ）は右側面図、（Ｃ）は正面図である。
【図６】図６は目元センサの蓋体部を説明するための図であり、（Ａ）は底面図、（Ｂ）は右側面図である。
【図７】図７は目元センサを構成するフィルタを示す正面図である。
【図８】図８は、目元センサにより目元に投影された影を示す図である。
【図９】図９は、本発明の一実施形態である化粧用スケールキットに配設される肌色スケールの正面図である。
【図１０】図１０は、本発明の一実施形態である化粧用スケールキットに配設される唇色スケールの正面図である。
【図１１】図１１は本発明の一実施形態である化粧用スケールキットに配設される顔計測スケールを説明するための図であり、（Ａ）は収納状態の顔計測スケールを示す斜視図であり、（Ｂ）は垂直バーを開いた状態を示す斜視図である。
【図１２】図１２は、顔計測スケールの分解斜視図である。
【図１３】図１３は顔計測スケールの動作を説明するための正面図であり、（Ａ）スケール半体が移動した状態を示す図、（Ｂ）はスケール半体が収納された状態を示す図である。
【図１４】図１４は、本発明の一実施形態である化粧用スケールキットに配設される眉・唇スケールの正面図である。
【図１５】図１５は、ケース半体２ｂの内側を示す図である。
【図１６】図１６は、マスク部材の変形例を示す図である（その１）。
【図１７】図１７は、マスク部材の変形例を示す図である（その２）。
【図１８】図１８は、マスク部材の変形例を示す図である（その３）。
【発明を実施するための形態】
【００１０】
次に、本発明の実施の形態について図面と共に説明する。
【００１１】
図１乃至図３は、本発明の一実施形態である化粧用スケールキット１００を説明するための図である。この化粧用スケールキット１００は被施術者Ａが顔に施術する際に使用するものであり、主に携帯して使用されるものである。この化粧用スケールキット１００は、大略すると目元スケール１、ケース２、肌色スケール２０、唇色スケール３０、顔計測スケール４０、及び眉・唇スケール５０等により構成されている。
【００１２】
ケース２は樹脂製であり、一対のケース２ａ，２ｂにより構成されている。この一方のケース半体２ａには投写スケールである目元スケール１が配設されている。また、ケース半体２ｂの内側面には図１５に示すように鏡６１が配設されている。またケース半体２ｂには、図２に示すように装着ピン６２が立設されている。この装着ピン６２の先端部は、ケース半体２ａに設けられた装着孔１３（図４，図５参照）に固定される。これにより、ケース半体２ａとケース半体２ｂは一体化する。
【００１３】
肌色スケール２０、唇色スケール３０、顔計測スケール４０、及び眉・唇スケール５０は、後述するようにこの装着ピン６２に引き出し可能に装着される。よって、化粧用スケールキット１００の使用時には、所望するスケールを装着ピン６２を中心として回転させることにより引き出し、当該スケールの使用を行う。図３は、ケース半体２ａに内設された目元スケール１を使用している例を示している。同図に示されるように、使用される目元スケール１（ケース半体２ａ）のみが引き出され、他のスケール２０，３０，４０，５０は重ねられた状態を維持している。
【００１４】
また、各スケール２０，３０，４０，５０の正面視した形状は、ケース半体２ａ，２ｂの正面視した形状と略同一形状とされている。よって、一対のケース２ａ，２ｂ間に各スケール２０，３０，４０，５０を収納した際、図１に示すように各スケール２０，３０，４０，５０は重なった状態となる。このため、一対のケース２ａ，２ｂ間に複数のスケール２０，３０，４０，５０を配設しても、上記の収納時における化粧用スケールキット１００はコンパクト化でき、携帯性の向上が図られている。
【００１５】
以下、化粧用スケールキット１００を構成する各種スケール１，２０，３０，４０，５０について説明する。先ず、ケース半体２ａに内設された目元スケール１について説明する。
【００１６】
図４乃至図７は目元スケール１の構成を説明するための図である。目元スケール１は、目元にアイシャドー或いはアイライナーを描く際に使用するスケールである。また本実施形態に係る目元スケール１は、樹脂製の定規状のスケールを用いるのではなく、図３に示すように被施術者Ａの目元に影（以下、影Ｓと示す）を投写（投影）し、この影Ｓをスケールとして用いることを特徴とするものである。
【００１７】
目元スケール１は前記のようにケース半体２ａ内に配設されており、大略するとＬＥＤ光源３、マスク部材４Ａ等により構成されている。
【００１８】
ケース本体５は、図５（Ａ）に示すようにケース２の形状に対応した楕円形状を有した板状部材であり、固定リブ７及びプリズム８等が設けられている。固定リブ７は後述するＬＥＤ光源３が装着されるものであり、アーム部７ａ及び装着凹部７ｂを有している。アーム部７ａは、ケース本体５に立設するよう一体的に形成されている。
【００１９】
このアーム部７ａは、ＬＥＤ光源３の装着位置を挟んで一対設けられている。ＬＥＤ光源３は装着時において、この一対のアーム部７ａに挟持されることによりケース本体５に保持される。このため、アーム部７ａの内側部分には、ＬＥＤ光源３の外形状に対応した装着凹部７ｂが形成されている。本実施形態では、ＬＥＤ光源３は円筒形状を有しているため、図５（Ｂ）に示すように、装着凹部７ｂの形状はＬＥＤ光源３の外形状に対応した円形状とされている。
【００２０】
本実施形態では、固定リブ７はケース本体５の長手方向（楕円の長辺方向）に離間して２個設けられている。よって、ＬＥＤ光源３は２個の固定リブ７により保持されるため、ケース本体５に確実に装着される。また一対の固定リブ７の間には、スイッチ装着部５ｂが設けられている。
【００２１】
このスイッチ装着部５ｂには、図示しないＯＮ／ＯＦＦスイッチが配設される。ＯＮ／ＯＦＦスイッチは、ＬＥＤ光源３を点灯或いは消灯するものである。このＯＮ／ＯＦＦスイッチは小型かつ扁平な形状のものが選定されており、そのスイッチノブ１６はケース本体５に形成されたスイッチ孔５ｃから外部に突出するよう構成されている。後述するように、被施術者Ａが目元スケール１を使用する際、被施術者Ａはスイッチノブ１６を操作することにより目元に影Ｓを投影する。
【００２２】
プリズム８は、ＬＥＤ光源３から出射する光Ｌの光路に設けられており、ＬＥＤ光源３から出射される光Ｌの光路を直角に変更させる機能を奏するものである。具体的には、ＬＥＤ光源３から出射した光Ｌはケース本体５の上面と平行に進んだ後、プリズム８の反射面８ａに入射される。反射面８ａは水平方向に対して４５°傾斜しており、よって光Ｌはプリズム８によりケース本体５に向け反射される。ケース本体５の反射面８ａと対向する位置には光照射孔５ａが形成されている。従って、ＬＥＤ光源３から出射した光Ｌは、プリズム８で光路を変更して光照射孔５ａから外部に照射される。
【００２３】
蓋体６は、ケース本体５に装着される。蓋体６の底面部１０には、図６（Ａ）に示すように複数のねじ孔１０ａが形成されている。また、前記したケース本体５のねじ孔１０ａに対応する位置には挿通孔５ｄが形成されている。よって、挿通孔５ｄとねじ孔１０ａとを位置決めした上で、固定ネジ（図示せず）を挿通孔５ｄを挿通させた上でねじ孔１０ａに螺着することにより、蓋体６はケース本体５に固定される。
【００２４】
蓋体６は内側に凹部９を有しており、ケース本体５に蓋体６が装着された状態でＬＥＤ光源３、固定リブ７、及びプリズム８等は蓋体６内に収納される。この蓋体６は半卵形状（略半楕円球）を有しており、把持しやすい形状となっている。また、ケース半体２ｂも同様の形状とされている。このため、化粧用スケールキット１００の操作性の向上が図られている。
【００２５】
ＬＥＤ光源３は、円筒形状を有した電池を収納するケース３ｃの先端部に図示しないＬＥＤ（発光ダイオード）が配設された構成とされている。前記のＯＮ／ＯＦＦスイッチは、被施術者Ａによりスイッチノブ１６の操作により電源とＬＥＤとの接続（ＯＮ）及び接続解除（ＯＦＦ）を行う。スイッチノブ１６の操作により電源とＬＥＤが接続されるとＬＥＤは発光し、ＬＥＤからの光Ｌは反射面８ａで反射された後に光照射孔５ａを介して目元スケール１の外部に照射される。
【００２６】
このＬＥＤは、発光した光が目の中に入っても安全なものが選定されている。また、ＬＥＤの発光色としては、目にまぶしくないイエロー・ブルー系を選定している。このＬＥＤの前方位置には、レンズ３ｂが配設されている。このレンズ３ｂは、光Ｌを出射する際にその縦横比が同じになるレンズが選定されている。
【００２７】
更に、ＬＥＤ光源３に設けられたＬＥＤと、ケース本体５に形成された光照射孔５ａとの間には、マスク部材４Ａが配設されている。本実施形態では、ＬＥＤ光源３に装着部３ａを設け、この装着部３ａにマスク部材４Ａを装着する構成としている。
【００２８】
この装着部３ａの配設位置は、光Ｌの出射方向に対し、ＬＥＤの配設位置よりも前方でレンズ３ｂの配設位置よりも後方位置に設定されている。従って、ＬＥＤで発光した光Ｌは、装着部３ａに装着されたマスク部材４Ａを通過してレンズ３ｂに至り、そして外部に出射される。
【００２９】
図７は、本実施形態で用いるマスク部材４Ａを拡大して示す図である。マスク部材４Ａはシート状の樹脂フィルムより形成されている。このマスク部材４Ａの所定位置には、マスク部材４Ａを装着部３ａへ装着する際に把持する把持部４ｂが形成されている。
【００３０】
また、マスク部材４Ａの略中央位置には、遮光部１１Ａが形成されている。この遮光部１１Ａは、光の透過率が低い塗料（本実施形態では黒色塗料）を印刷した構成である。しかしながら、遮光部１１Ａは黒色塗料に限定されるものではなく、光を遮光しうるものであれば他の構成を採用してもよい（例えば、遮光フィルムの貼着等）。
【００３１】
上記のようにマスク部材４Ａに遮光部１１Ａを形成すると、遮光部１１ＡはＬＥＤからの光を遮るため、マスク部材４Ａを通過した光は遮光部１１Ａの形状に対応した影Ｓが重畳された光となる。換言すると、ＬＥＤ光源３は、遮光部１１Ａに対応した形状の影Ｓを投写する投写機としての機能を奏することとなる。
【００３２】
ここで、本実施形態に係る遮光部１１Ａの形状に注目する。この遮光部１１Ａの形状は、目元に施す化粧料（アイシャドー或いはアイライナー等）の理想施術形状に対応した形状とされている。この目元に施す化粧料の理想施術形状とは、ゴールデンバランスに基づく標準バランスの目の形態を基準として求められる。具体的には、図８に示すように眼裂の上下径Ｈ２と左右径Ｗ２の比率が１対３（Ｈ２：Ｗ２＝１：３）となる形状を理想施術形状という（特開2005−038375号公報参照）。
【００３３】
そこで本実施形態では、マスク部材４Ａに設ける遮光部１１Ａの形状をこの理想施術形状に対応した比率としている。具体的には、遮光部１１Ａの縦Ｈ１に対する横Ｗ１の比率を１：３（Ｈ１：Ｗ１＝１：３）に設定している。
【００３４】
ところで、遮光部１１Ａの形状は必ずしも理想施術形状に対応したＨ１：Ｗ１＝１：３の比率にする必要はない。即ち、被施術者の顔形状によっては、目元に施す化粧料の理想施術形状をゴールデンバランスに設定すると、返って不自然になる場合も生じる。よって、このような場合には、眼裂の上下径Ｈ２と左右径Ｗ２の比率を理想施術形状に対応する比率から変えることが望ましい。
【００３５】
このような被施術者の個人差を含めた場合の遮光部１１Ａの形状は、本発明者による長年の経験則からすると（Ｈ１：Ｗ１＝１：２）から（Ｈ１：Ｗ１＝１：４）の範囲となる。従って、この上記範囲内において、縦Ｈ１と横Ｗ１との比率が異なる複数種類の遮光部１１Ａを有したマスク部材４Ａを作製しておき、被施術者に目元スケール１を提供する際、当該被施術者の顔形状に対応した遮光部１１Ａを有したマスク部材４Ａを目元スケール１に装着して提供することとしても良い。これにより、個々の被施術者に適した形状の影Ｓを目元に投写することが可能となる。
【００３６】
続いて、化粧用スケールキット１００において、上記構成とされた目元スケール１を使用する方法について説明する。また以下の説明では、目元スケール１をアイシャドーの塗布に用いた例について説明するものとする。
【００３７】
アイシャドーを目元に施術するには、被施術者Ａは目元スケール１（ケース半体２ａ）を化粧用スケールキット１００から引き出し、残る各スケール２０，３０，４０，５０及びケース半体２ｂを把持する。続いて、被施術者Ａはスイッチノブ１６をＯＮとし、目元スケール１からの光Ｌを目に向けて照射する。図３は、目元スケール１から光Ｌを目に向けて照射している状態を示している。
【００３８】
本実施形態では、目元スケール１からの光Ｌを被施術者Ａの目に向けて照射するが、光Ｌはマスク部材４Ａを通過した光であり、中央部分に遮光部１１Ａに対応した影Ｓが形成されている。また、仮にＬＥＤからの光が目に入射しても、ＬＥＤは安全な光を照射するものが選定されており、かつＬＥＤの発光色は目にまぶしくないイエロー・ブルー系を選定しているため、安全性が担保されている。
【００３９】
図８は、光Ｌが照射された状態の被施術者Ａを正面から見た図である。同図に示すように、被施術者Ａの目の近傍には、マスク部材４Ａに形成された遮光部１１Ａに対応した影Ｓが投写されている。また上記したように、ＬＥＤ光源３に設けられたレンズ３ｂは、縦横比が同じ倍率となるよう構成されている。従って、遮光部１１Ａの縦横比（Ｈ：Ｗ）はそのままの比率で被施術者Ａに投写され、被施術者Ａに投写された影Ｓの縦の長さ（Ｈ２）と横の長さ（Ｗ２）の比（Ｈ２：Ｗ２）も１：３となる。
【００４０】
従って、被施術者Ａは目元等に投写された影Ｓを見ながら、影Ｓに沿ってアイシャドーを施術することにより、容易かつ確実に理想施術形状（ゴールデンバランスに基づく標準バランスの目の形態）に対応した目元のメーキャップを行うことができる。この際、前記のように被施術者Ａの目に投写されるのは影Ｓであるため、投写されていない側の目ばかりでなく、投写が行われている目も開いて影Ｓを確認することができる。よって、これによってもアイシャドーの目元への施術を容易に行うことができる。
【００４１】
ところで、前記のように理想施術形状（ゴールデンバランスに基づく標準バランスの目の形態）は目の縦幅Ｈと目の横幅Ｗとの比で与えられるため、ゴールデンバランスに対応した目の縦幅の長さと目の横幅の実際の長さは、顔の大きさや目の大きさ等により被施術者Ａ毎に異なった長さとなる（しかしながら、理想施術形状となる比率は一定）。
【００４２】
このため、被施術者Ａの顔や目の大きさに対応した理想施術形状を、従来の物差し状のスケールに設けようとした場合、被施術者Ａ毎に個別にスケールを作成する必要が生じ現実的でない。
【００４３】
しかしながら本実施形態の目元スケール１では、投写される影Ｓの縦横比はゴールデンバランスに基づく標準バランスの目の形態に対応した縦横比（以下、理想縦横比という）である。また影Ｓの大きさは、被施術者Ａと目元スケール１との距離Ｌ（図３に示す）を移動させることにより変化させることができる。具体的には、距離Ｌを短くすれば影Ｓの面積は小さくなり、距離Ｌを長くすれば影Ｓの面積は大きくなる。
【００４４】
しかしながら、距離Ｌを変動させて影Ｓの面積を変化させても、影Ｓの縦横比は理想縦横比を維持したままである。よって、目元スケール１は被施術者Ａの顔や目の大きさに拘わらず、単に被施術者Ａと目元スケール１との距離Ｌを調製することにより全ての被施術者Ａに対して適用することが可能となる。
【００４５】
ところで上記したマスク部材４Ａは、透明なマスク本体４ａに遮光部１１Ａを形成したものを用いた。しかしながら、マスク部材の構成はこれに限定されるものではない。例えば、図１６（Ａ），（Ｂ）に示すように、光の透過率が低い塗料をマスク本体４ａの全面に塗布すると共に、化粧料の理想施術形状の外周縁に光を透光する小孔１７Ａ（請求項に記載の透光部）を形成する構成としたマスク部材４Ｂ，４Ｃを用いることができる。
【００４６】
この構成の目元スケール１を使用すると、被施術者Ａの目元は全体的に影が投写され、理想施術形状（Ｈ１：Ｗ１＝１：３）の外周縁部分にポイント的に光が投写されることとなる（以下、この光をポイント光という）。この際、図１６（Ａ）に示すように理想施術形状の主要箇所のみに小孔１７Ａを設ける構成としても、図１６（Ｂ）に示すように理想施術形状の外縁の多数箇所に小孔１７Ａを設ける構成としてもよい。
【００４７】
図１６（Ａ）に示すマスク部材４Ｂを用いた場合には、使用時に被施術者Ａの目にＬＥＤからの光が入射することを有効に防止することができる。また、図１６（Ｂ）に示すマスク部材４Ｃを用いた場合には、理想施術形状の外縁が明確に表示されるため、化粧料の施術を容易に行うことができる。
【００４８】
また、図１６（Ｃ）に示すマスク部材４Ｄは、光の透過率が低い塗料をマスク本体４ａの全面に塗布すると共に、化粧料の理想施術形状の外周縁に沿って環状に透光部１８を形成したものである。この構成とすることにより、理想施術形状の外縁が線状に明確に表示されるため、このマスク部材４Ｄを用いることによっても化粧料の施術を容易に行うことができる。
【００４９】
更に、上記した目元スケール１は、目元に化粧料を塗布するスケールとして用いるものを例に挙げたが、顔の他の部位に対する化粧のスケールとして用いることも可能である。
【００５０】
図１７（Ａ），（Ｂ）は、眉のスケールに適用した場合のマスク部材４Ｆ，４Ｇを示している。図１７（Ａ）に示すマスク部材４Ｆは、透明なマスク本体４ａに理想的な眉形状に対応した形状の遮光部１１Ｃが形成された構成とされている。よって、このマスク部材４Ｆを用いた場合には、被施術者Ａに理想的な眉形状である影が投影される。被施術者Ａは、この投影された影をスケールとして眉を描くことにより、理想的な眉を描くことができる。
【００５１】
また、図１７（Ｂ）に示すマスク部材４Ｇは、光の透過率が低い塗料をマスク本体４ａの全面に塗布すると共に、理想的な眉形状に対応する位置に光を透光する小孔１７Ｂ（透光部）を形成したものである。この小孔１７Ｂの形成位置は、理想的な眉の眉頭、眉山、眉尻（以下、眉の要部位置という）を少なくとも含む位置に形成されている。
【００５２】
このマスク部材４Ｇを用いた場合には、被施術者Ａに理想的な眉の要部位置に光が投光される。被施術者Ａは、この投光された光をスケールとして眉を描くことにより、理想的な眉を描くことができる。
【００５３】
図１７（Ｃ），（Ｄ）は、唇のスケールに適用した場合のマスク部材４Ｈ，４Ｉを示している。図１７（Ｃ）に示すマスク部材４Ｆは、透明なマスク本体４ａに理想的な唇形状に対応した形状の遮光部１１Ｄが形成された構成とされている。理想的な唇形状は、唇の上下比率（図１７（Ｃ）に矢印Ｈ３，Ｈ４で示す長さの比率。即ち、Ｈ３：Ｈ４）が１：１．３〜１：１．５である（特開２００６−１１６１５４参照）。よって、遮光部１１Ｄは、この理想的な唇形状に対応した形状とされている。
【００５４】
このマスク部材４Ｈを用いた場合には、被施術者Ａの唇に理想的な唇形状である影が投影される。被施術者Ａは、この投影された影をスケールとして化粧料を施術することにより、唇に対して理想的なメーキャップを行うことができる。
【００５５】
また、図１７（Ｄ）に示す４Ｉは、光の透過率が低い塗料をマスク本体４ａの全面に塗布すると共に、理想的な唇形状に対応する位置に光を透光する小孔１７Ｃ（透光部）を形成したものである。この小孔１７Ｃの形成位置は、理想的な唇形状の唇の山２箇所、唇のライン、口角、下の位置等に設定されている。
【００５６】
このマスク部材４Ｉを用いた場合には、被施術者Ａに理想的な唇の要部位置に光が投光される。被施術者Ａは、この投光された光をスケールとして化粧料を施術することにより、唇に対して理想的なメーキャップを行うことができる。
【００５７】
図１８（Ａ）は、顔全体に対してメーキャップを行うスケールに適用した場合のマスク部材４Ｊを示している。同図に示すマスク部材４Ｊは、透明なマスク本体４ａに顔の形に対応した遮光部１１Ｅが形成されている。そして、この遮光部１１Ｅの内部に、理想的な目元形状に対応した透光部１８と、理想的な眉形状に対応した小孔１７Ｂと、形状理想的な唇形状に対応した小孔１７Ｃと、鼻の位置を示すための小孔１７Ｄとが形成されている。このマスク部材４Ｊを用いた場合には、被施術者Ａの顔に理想的な目元、眉、唇の形状が一括的に投光されるため、顔のバランスを確認し、理想の顔に近づけるための化粧料の施術を容易に行うことができる。
【００５８】
図１８（Ｂ）に示すマスク部材４Ｋは、理想的な眉を描くため、理想付記な眉頭、眉山、眉尻の位置を示すために使用されるものである。このマスク部材４Ｋは、光の透過率が低い塗料をマスク本体４ａの全面に塗布すると共に、理想的な目頭、眉頭、眉山、眉尻の位置に対応する位置に透光する小孔１７Ｅ〜１７Ｈ（透光部）を形成したものである。このマスク部材４Ｋを用いた場合、目頭の直上の眉の位置を光で示すことができ、また小鼻と目尻を結んだ延長線上を表すことで眉尻の正確な位置を光で示すことができる。
【００５９】
上記のように目元スケール１は、眉スケール、唇スケール等としても使用することができる。この際、各スケールを切り換えるには、単に装着部３ａに所望するマスク部材４Ａ〜４Ｉを選択して装着することにより実現することができる。図３〜図５に示す実施形態では、ケース半体２ａの外部からマスク部材４Ａ〜４Ｉを交換することができない構成を示したが、フィルムの切り替えができる構成とするか、或いは外部から交換可能な構成とすることにより、目元スケール１を眉スケール及び唇スケールとして用いることが可能となる。
【００６０】
次に、肌色スケール２０について説明する。図９は、肌色スケール２０を示す正面図である。この肌色スケール２０は、透明なスケール本体２１に複数の肌色見本２２〜２６が設けられた構成とされている。スケール本体２１は樹脂材料からなるシート材からなり、その形状はケース２の形状に対応した形状とされている。また、肌色見本２２〜２６は、スケール本体２１に対して印刷されている。
【００６１】
また、スケール本体２１の所定位置には、前記した装着ピン６２が挿通される装着孔２７が形成されている。装着孔２７の径寸法は、スケール本体２１が装着ピン６２に回動可能となる寸法に選定されている。よって、スケール本体２１は装着ピン６２に対して回動可能となり、これにより肌色スケール２０はケース２に対して引き出し可能な構成となる。
【００６２】
尚、化粧用スケールキット１００に対する肌色スケール２０の配設枚数は１枚に限定されるものではなく、複数の肌色スケール２０を配設することも可能である。
【００６３】
次に、唇色スケール３０について説明する。図１０は、唇色スケール３０を示す正面図である。この唇色スケール３０は、透明なスケール本体３１に複数の唇色見本３２〜３５が設けられた構成とされている。スケール本体３１は樹脂材料からなるシート材からなり、その一側辺３１ａの形状はケース２の形状に対応して形成され、他側辺３１ｂの形状は被施術者Ａの唇に当てやすくするために湾曲状に窪んだ形状とされている（全体としては、略三日月形状となっている）。
【００６４】
唇色見本３２〜３５は、スケール本体３１に対して印刷されている。この際、各唇色見本３２〜３５は側辺３１ｂに接するように形成されており、これによっても各唇色見本３２〜３５を被施術者Ａの唇に当てやすくなるよう構成されている。
【００６５】
また、スケール本体３１の所定位置には、装着ピン６２が挿通される装着孔３６が形成されている。装着孔３６の径寸法も、スケール本体３１が装着ピン６２に回動可能となる寸法に選定されている。よって、スケール本体３１は装着ピン６２に対して回動可能となり、これにより唇色スケール３０はケース２に対して引き出し可能な構成となる。
【００６６】
尚、化粧用スケールキット１００に対する唇色スケール３０の配設枚数も１枚に限定されるものではなく、複数の唇色スケール３０を配設することも可能である。
【００６７】
次に、顔計測スケール４０について説明する。図１１乃至図１３は、顔計測スケール４０を説明するための図である。顔計測スケール４０は、スケール本体４１、スケールガイド４２、カバー４４、スケール半体４５、スケール半体４６、ギヤ４７、及び垂直バー４９等を有した構成とされている。
【００６８】
スケール本体４１は透明な樹脂基板であり、その形状はケース２の形状に対応した形状とされている。このスケール本体４１には、スケールケース４２がスライド可能に装着されるスライド溝４１ａと、装着ピン６２が挿通される装着孔４１ｂが形成されている。
【００６９】
装着孔４１ｂの径寸法も、スケール本体４１が装着ピン６２に回動可能となる寸法に選定されている。よって、スケール本体４１は装着ピン６２に対して回動可能となり、これにより顔計測スケール４０はケース２に対して引き出し可能な構成となる。
【００７０】
顔計測スケール４０は、被施術者Ａの顔の長さを測定するスケールである。しかしながら、化粧用スケールキット１００は携帯可能な構成とされており、ケース２の大きさも片手で把持しうる大きさに設定されている。このため、本実施形態では、顔の長さを測定するスケールを一対のスケール半体４５，４６により構成し、これをスケールケース４２内に移動可能（伸長可能）に収納した構成としている。
【００７１】
スケールケース４２は、図１２に示すように一対のケース半体４２Ａ，４２Ｂにより構成されている。ケース半体４２Ａは、長手方向の両側部にスケール半体４５，４６の移動を案内するガイド突起４３が形成されている。また、ケース半体４２Ｂは、スケール半体４５，４６を内部に収納した状態でその上部を覆うカバーとして機能する。このケース半体４２Ｂには、垂直バー４９が配設される。更に、各ケース半体４２Ａ，４２Ｂの中央位置には、後述するピン４８を軸承する軸孔４４ａ，４４ｂが形成されている。
【００７２】
スケール半体４５，４６は、所定範囲にラック４５ａ，４６ａが形成されると共に、顔計測用の目盛りが形成された計測部４５ｂ，４６ｂが形成されている。このスケール半体４５，４６は、互いのラック４５ａ，４６ａがギヤ４７を間に挟んで対向するよう配置される。この際、各スケール半体４５，４６は、ギヤ４７を中心に対象となるよう配置される。各ラック４５ａ，４６ａはギヤ４７に噛合しており、よって一方のスケール半体が移動することによりギヤ４７は回転し、これにより他方のスケール半体も移動する。この際、スケール半体４５とスケール半体４６の移動方向は、互いに逆の方向となる。
【００７３】
即ち、図１３（Ｂ）に示す移動前の状態において、被施術者Ａがスケール半体４５をＸ２方向に引き出すと、これに伴いスケール半体４６はＸ１方向に移動する。従って、スケール半体４５，４６がスケールケース４２から引き出された状態では、図１３（Ａ）に示すように、その全長はスケールケース４２の長さに比べて長くなり、被施術者Ａの顔の長さを計測することが可能となる。
【００７４】
尚、本実施形態ではスケールケース４２に対して二つのスケール半体４５，４６が異なる方向に引き出し可能な構成とされているが、スケール半体を一つのみ設け、このスケール半体がスケールケース４２から片方にのみ引き出される構成とすることも可能である。
【００７５】
ギヤ４７は、ピン４８に回転自在に軸承されている。このピン４８は、スケールケース４２に形成された軸孔４４ａ，４４ｂに軸承されている。また、ピン４８の図１２におけるＺ２方向の端部には、鍔部４８ａが形成されている。この鍔部４８ａは、スケール本体４１に形成されたスライド溝４１ａにスライド可能に係合している。よって、スケールケース４２は、スライド溝４１ａに沿って図中矢印Ｙ１，Ｙ２方向にスライド可能な構成となっている。
【００７６】
垂直バー４９は、被施術者Ａの顔の横幅を測定するときに、正確に計測するために頬に添えるバーである。この垂直バー４９は、図示しないヒンジによりスケールケース４２のケース半体４２Ｂに回動可能に配設されている。この垂直バー４９は、不使用時においては図１１（Ａ）に示すようにスケールケース４２に密着した状態となっている。これに対して使用時には、垂直バー４９は図１１（Ｂ）に矢印Ａ２で示す方向に回動され、スケールケース４２に対して直角となるよう構成されている。
【００７７】
ここで、「顔の横幅」とは、顔を正面に見たときに見えているフェースラインまでの幅のことをいう。また、垂直バー４９は顔の横幅を測定するときに小鼻の延長線上の頬に当てられ、これによりスケール半体４５，４６により顔の横幅を正確に測定できるよう構成している。
【００７８】
ところで、上記顔計測スケール４０は、携帯される化粧用スケールキット１００に収納されるものであるため、薄型化を図る必要がある。このため、顔計測スケール４０を構成するスケール本体４１、スケールケース４２、スケール半体４５，４６、及び垂直バー４９等は、機械的強度を維持しうる範囲でその厚さが薄くなるよう設定されている。また、顔の計測が行いやすいように、各部材４２，４５，４６，４９を透明な部材により形成してもよい。
【００７９】
尚、垂直バー４９をスケールケース４２に向けてＡ１方向に回転させた際、垂直バー４９とスケールケース４２が密着するよう夫々に磁石を配設した構成としてもよい。この構成とすることにより、垂直バー４９が不要に回転することを防止できる。
【００８０】
次に、眉・唇スケール５０について説明する。
【００８１】
本実施形態では、スケール本体５１に眉スケール５２と唇スケール５３を共に配設することにより、コンパクト化を図っている。スケール本体５１は樹脂製の基板であり、各スケール５２，５３の配設位置に磁石（図に現れず）が配設されている。また、各スケール５２，５３には磁性体よりなる金属板が配設されており、よって磁石の磁力により各スケール５２，５３はスケール本体５１に対して装着脱可能な構成となっている。また磁石を用いることにより、図１４に実線で示す収納位置から、破線で示す使用位置に各スケール５２，５３を移動させることも可能である。
【００８２】
眉スケール５２は、理想的な眉形状に対応した形状とされている。よって、この眉スケール５２を被施術者Ａの眉に合わせるように位置決めし、眉を描くことにより理想的な形状の眉を描くことができる。また、唇スケール５３は、理想的な唇形状に対応した形状とされている。よって、この唇スケール５３を被施術者Ａの唇に合わせるように位置決めし、化粧料を塗布することにより唇に対して理想的なメーキャップを行うことができる。
【００８３】
上記構成とされた肌色スケール２０、唇色スケール３０、顔計測スケール４０、及び眉・唇スケール５０は、一対のケース半体２ａ，２ｂ間に引き出し可能に収納される。よって化粧用スケールキット１００使用する被施術者Ａは、ケース半体２ａに内接された目元スケール１を含め、各スケール１，２０，３０，４０，５０から所望するスケールを引き出し、使用することができる。
【００８４】
これにより、化粧用スケールキット１００の携帯時には複数のスケール１，２０，３０，４０，５０を一体的に取り扱うことができ形態性の向上を図ることができる。また使用時においては、複数のスケール１，２０，３０，４０，５０から、所望のスケールを引き出して使用することができるため、スケールの使用性の向上を図ることができる。
【００８５】
尚、上記した化粧用スケールキット１００では、一対のケース半体２ａ，２ｂの間に肌色スケール２０、唇色スケール３０、顔計測スケール４０、及び眉・唇スケール５０を収納した構成を示したが、必ずしもその全部を収納させる必要はなく、上記の各スケール２０，２０，４０，５０から選ばれる少なくとも一つ以上のスケールを引き出し可能に収納する構成としてもよい。
【００８６】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００８７】
１００  化粧用スケールキット
１  目元スケール
２  ケース
２ａ，２ｂ  ケース半体
３  ＬＥＤ光源
３ａ  装着部
４Ａ〜４Ｋ  マスク部材
４ａ  マスク本体
４ｂ  把持部
５  ケース本体
６  蓋体
７  固定リブ
８  プリズム
１１Ａ〜１１Ｅ  遮光部
１２  レンズ
１６  スイッチノブ
１７Ａ〜１７Ｄ  小孔
１８  透光部
２０  肌色スケール
２１  スケール本体
２２〜２６  肌色見本
２７  装着孔
３０  唇色スケール
３１  スケール本体
３２〜３５  唇色見本
３６  装着孔
４０  顔計測スケール
４１  スケール本体
４１ｂ  装着孔
４２  スケールケース
４５，４６  スケール半体
４５ａ，４６ａ  ラック
４６ａ  ラック
４７  ギヤ
４９  垂直バー
５０  眉・唇スケール
５１  スケール本体
５２  眉スケール
５３  唇スケール
５４  装着孔
６１  鏡
６２  装着ピン
Ａ  被施術者
【図１】
2012090728.tif 000003
【図２】
2012090728.tif 000004
【図３】
2012090728.tif 000005
【図４】
2012090728.tif 000006
【図５】
2012090728.tif 000007
【図６】
2012090728.tif 000008
【図７】
2012090728.tif 000009
【図８】
2012090728.tif 000010
【図９】
2012090728.tif 000011
【図１１】
2012090728.tif 000012
【図１２】
2012090728.tif 000013
【図１３】
2012090728.tif 000014
【図１４】
2012090728.tif 000015
【図１５】
2012090728.tif 000016
【図１６】
2012090728.tif 000017
【図１７】
2012090728.tif 000018
【図１８】
2012090728.tif 000019
【図１０】
2012090728.tif 000020